(57)【要約】【課題】外観に影響を及ぼすことなくタップネジの帯電を防止する。【解決手段】絶縁性を有する樹脂などからなる電池ボックス２５の側面には、筐体１２にネジ固定するための下穴４４が形成され、電池ボックス２５に固定される導電板２７には、下穴４４に連続する貫通孔４５が形成されている。一方、背面カバー１４の側面には、タップネジ４６が挿入される貫通孔４７が形成されている。また、前面カバー１３の側面には、背面カバー１４の内面側に入り込む取付け部４８が形成され、その取付け部４８には、タップネジ４６が挿入される貫通孔４９が形成されている。貫通孔４７，４９が連続するように背面カバー１４と前面カバー１３とが嵌合され、筐体１２の外側から貫通孔４７，４９，４５を介してタップネジ４６が下穴４４に締め込まれることで、前面カバー１３及び背面カバー１４は互いに閉じられ、電池ボックス２５は筐体１２に固定されている。【選択図】図２
2008191433.tif 000002
【特許請求の範囲】
【請求項１】
絶縁体からなる筐体の内側に設けられた絶縁性部材を前記筐体の外側からネジ切りして前記筐体に固定するタップネジの導電構造であって、
前記筐体と前記絶縁性部材との間に挟持され、前記タップネジと電気接触するとともに、基準電位となるグランド部材と電気接続した導電性部材を備えたことを特徴とするタップネジの導電構造。
【請求項２】
前記導電性部材は、前記タップネジのネジ山ピッチよりも厚さが小さい導電板であることを特徴とする請求項１記載のタップネジの導電構造。
【請求項３】
前記導電板には、前記タップネジが挿入される貫通孔が形成されていることを特徴とする請求項２記載のタップネジの導電構造。
【請求項４】
前記貫通孔は、その周縁に突起が形成された形状であり、前記突起が前記タップネジのネジ谷に入り込んでいることを特徴とする請求項３記載のタップネジの導電構造。
【請求項５】
前記突起は複数であり、それらの突起に内接する円の径をＤ１、前記タップネジの外径をｄ、前記タップネジの谷の径をｄ１としたときに、ｄ１＜Ｄ１＜ｄであることを特徴とする請求項４記載のタップネジの導電構造。
【請求項６】
前記突起は、その先端が前記タップネジと接触していることを特徴とする請求項５記載のタップネジの導電構造。
【請求項７】
前記突起は、その先端が前記タップネジの外周に沿った形状であることを特徴とする請求項６記載のタップネジの導電構造。
【請求項８】
前記突起は、先鋭な形状であることを特徴とする請求項６記載のタップネジの導電構造。
【請求項９】
前記突起は、その側辺が前記タップネジと接触していることを特徴とする請求項５記載のタップネジの導電構造。
【請求項１０】
前記突起は、前記タップネジを締める方向に湾曲した形状であることを特徴とする請求項９記載のタップネジの導電構造。
【請求項１１】
前記突起は、前記貫通孔の周方向に異なる間隔でそれぞれ形成されていることを特徴とする請求項５乃至１０何れか記載のタップネジの導電構造。
【請求項１２】
前記突起は、前記タップネジを挿入する方向へ曲げられていることを特徴とする請求項４乃至１１何れか記載のタップネジの導電構造。
【請求項１３】
前記貫通孔は、その周縁に複数のスリットが切欠き形成された形状であることを特徴とする請求項３記載のタップネジの導電構造。
【請求項１４】
前記導電板は、突起が形成された形状であり、前記突起が前記タップネジのネジ谷に入り込んでいることを特徴とする請求項２記載のタップネジの導電構造。
【請求項１５】
請求項１乃至１４何れか記載のタップネジの導電構造を備えた電子機器。
【発明の詳細な説明】
【技術分野】
【０００１】
本発明は、絶縁性の筐体に絶縁性部品を固定するタップネジの導電構造、及びそれを備えた電子機器に関する。
【背景技術】
【０００２】
デジタルカメラなどの電子機器では、誤作動や破損が生じることのないよう、帯電の防止が図られている。帯電の防止は、導電性を有する各種部品を電池の負極に接続することなどによって実現される（例えば、特許文献１参照）。
【０００３】
各種部品の固定には、ネジが利用されたりする。小型軽量化が望まれる電子機器にあっては、ネジを介して電気的導通が取られることもある（例えば、特許文献２〜５参照）。これによれば、ネジそのものの帯電も防止できる。
【特許文献１】特開平１１−０１５０５４号公報
【特許文献２】特開平０５−２４３７１８号公報
【特許文献３】特開平０８−０８２３１６号公報
【特許文献４】特開実０６−００９１７６号公報
【特許文献５】特開実０７−０１６３６６号公報
【発明の開示】
【発明が解決しようとする課題】
【０００４】
特許文献２〜５記載の導電構造は、導電性部品同士を固定する構造であり、絶縁性部品同士を固定するために利用されるタップネジに適用することはできない。このようなタップネジの帯電を防止するには、タップネジを導電性部品に接続する必要がある。
【０００５】
しかしながら、絶縁性の筐体に絶縁性部品を固定するタップネジにあっては、外観に影響を及ぼすことなく導電性部品に接続することが難しかった。
【０００６】
本発明は、上記課題を解決するためのものであり、絶縁性の筐体に絶縁性部品を固定するタップネジの帯電を、外観に影響を及ぼすことなく防止することを目的とする。
【課題を解決するための手段】
【０００７】
上記目的を達成するために、本発明のタップネジの導電構造は、絶縁体からなる筐体の内側に設けられた絶縁性部材を筐体の外側からネジ切りして筐体に固定するタップネジの導電構造であって、筐体と絶縁性部材との間に挟持され、タップネジと電気接触するとともに、基準電位となるグランド部材と電気接続した導電性部材を備えたことを特徴とする。
【０００８】
なお、導電性部材は、タップネジのネジ山ピッチよりも厚さが小さい導電板であることが好ましい。
【０００９】
また、導電板には、タップネジが挿入される貫通孔が形成されていることが好ましい。
【００１０】
また、貫通孔は、その周縁に突起が形成された形状であり、突起がタップネジのネジ谷に入り込んでいることが好ましい。
【００１１】
また、突起は複数であり、それらの突起に内接する円の径をＤ１、タップネジの外径をｄ、タップネジの谷の径をｄ１としたときに、ｄ１＜Ｄ１＜ｄであることが好ましい。
【００１２】
また、突起は、その先端がタップネジの外周に沿った形状、或いは先鋭な形状であり、その先端がタップネジと接触していることが好ましい。
【００１３】
または、突起は、タップネジを締める方向に湾曲した形状であり、その側辺がタップネジと接触していることが好ましい。
【００１４】
また、突起は、貫通孔の周方向に異なる間隔でそれぞれ形成されていることが好ましい。
【００１５】
また、突起は、タップネジを挿入する方向へ曲げられていることが好ましい。
【００１６】
または、貫通孔は、その周縁に複数のスリットが切欠き形成された形状であることが好ましい。
【００１７】
または、導電板は、突起が形成された形状であり、突起がタップネジのネジ谷に入り込んでいることが好ましい。
【発明の効果】
【００１８】
本発明のタップネジの導電構造によれば、絶縁体からなる筐体とそれにネジ固定される絶縁性部材との間に挟持され、タップネジと電気接触するとともに、基準電位となるグランド部材と電気接続した導電性部材を備えているので、外観に影響を及ぼすことなくタップネジの帯電を防止することができる。
【００１９】
また、導電性部材は、タップネジのネジ山ピッチよりも厚さが小さい導電板であるので、スペース的な問題は生じない。
【００２０】
また、導電板に形成された貫通孔は、その周縁に突起が形成された形状であり、突起がタップネジのネジ谷に入り込んでいるので、バーリング形状である必要がなく、導電板の厚さに問題は生じない。
【００２１】
また、突起は複数であり、それらの突起に内接する円の径をＤ１、タップネジの外径をｄ、タップネジの谷の径をｄ１としたときに、ｄ１＜Ｄ１＜ｄであるので、タップネジは確実に貫通孔に締め付けられ、確実に導電板と電気的に導通する。
【００２２】
また、突起は、その先端がタップネジの外周に沿った形状であり、その先端がタップネジと接触しているので、タップネジとの引掛かりが防止され、タップネジの締直しも容易である。
【００２３】
または、突起は、先鋭な形状であり、その先端がタップネジと接触しているので、タップネジの表面が絶縁性の被膜で覆われている場合には、タップネジの皮膜が確実に削られ、タップネジと導電板との電気的導通の信頼性が向上している。
【００２４】
また、突起は、タップネジを締める方向に湾曲した形状であり、その側辺がタップネジと接触しているので、タップネジから退避する方向に撓み、締込みトルクを低減している。
【００２５】
また、突起は、貫通孔の周方向に異なる間隔でそれぞれ形成されているので、突起同士の間隔が広い箇所からネジ山が誘われ、締込み開始が容易である。
【００２６】
また、突起は、タップネジを挿入する方向へ曲げられているので、突起がネジ山の誘いとなり、締込み開始が容易であるとともに、締込みトルクを低減している。
【００２７】
または、貫通孔は、その周縁に複数のスリットが切欠き形成された形状であるので、寸法管理が容易な形状であり、導電板の製造コストを低減することができる。
【発明を実施するための最良の形態】
【００２８】
［第１実施形態］
以下、本発明の第１実施形態のデジタルカメラ１１について、図面を参照しながら説明する。図１に示すように、デジタルカメラ１１の筐体１２は、絶縁性を有する樹脂などからなる前面カバー１３と背面カバー１４とから構成される。前面カバー１３の前面には、ズームレンズ１５やフォーカスレンズ（図示せず）を保持するレンズ鏡筒１６、及びフラッシュユニット（図示せず）を保護する透明カバー１７などが設けられている。
【００２９】
前面カバー１３の上面には、デジタルカメラ１１の電源状態を切り替える電源ボタン１８、及びシャッタレリーズ操作に用いられるシャッタボタン１９などが設けられている。また、筐体１２の側面には、入出力用端子２０が設けられている。
【００３０】
レンズ鏡筒１６は沈胴式になっており、デジタルカメラ１１が電源オフ状態にある際に、前面カバー１３の前面に設けられた鏡筒収納部２１内に収納され、電源オンとともに前面カバー１３の前面から突出して、広角端で停止する。
【００３１】
デジタルカメラ１１にて撮影を行う場合、先ず、デジタルカメラ１１の背面に設けられたズーム操作部（図示せず）を利用してズーミングを行う。これにより、レンズ鏡筒１６が後退してズームレンズ１５の焦点距離が可変される。シャッタボタン１９を半押しすると、周知のオートフォーカス装置が作動して被写体距離を測定し、その測定信号に応じてズームレンズ１２のピント合わせが行われる。そして、シャッタボタン１９を全押しすると、撮影が行われる。
【００３２】
図２に示すように、筐体１２内には、前面カバー１３から背面カバー１４に向かって、絶縁性を有する樹脂などからなる電池ボックス２５と、デジタルカメラ１１の各部の動作を統括的に制御するＣＰＵなどが実装された回路基板２６とが順に設けられている。回路基板２６は、基準電位となるグランド部（図示せず）に電気的に接続されている。グランド部としては、電池の負極などが挙げられる。また、電池ボックス２５の側方には、導電板２７が設けられている。なお、図面の煩雑化を防止するため、レンズ鏡筒１６（図１参照）や撮像素子（ＣＣＤ）などの撮影機構、ボタン１８，１９（図１参照）、ＬＣＤなどの各種部品は図示を省略している。
【００３３】
図２及び図３に示すように、電池ボックス２５の背面には、回路基板２６にネジ固定するためのネジ穴４１が形成され、回路基板２６には、ネジ４２が挿入される貫通孔４３が形成されている。一方、電池ボックス２５の側方に設けられた導電板２７には、電池ボックス２５の背面側に屈曲する取付け部２８が形成され、その取付け部２８には、ネジ４２が挿入される貫通孔２９が形成されている。電池ボックス２５の背面と回路基板２６の前面との間に導電板２７の取付け部２８が挟み込まれ、貫通孔４３，２９を介してネジ４２をネジ穴４１に締め込まれることで、導電板２７は電池ボックス２５に固定され、電池ボックス２５は回路基板２６に固定されている。なお、回路基板２６と導電板２７とは、互いに接触して電気的導通が取られている。
【００３４】
電池ボックス２５の側面には、筐体１２にネジ固定するための下穴４４が形成され、電池ボックス２５に固定された導電板２７には、下穴４４に連続する貫通孔４５が形成されている。一方、背面カバー１４の側面には、タップネジ４６が挿入される貫通孔４７が形成されている。また、前面カバー１３の側面には、背面カバー１４の内面側に入り込む取付け部４８が形成され、その取付け部４８には、タップネジ４６が挿入される貫通孔４９が形成されている。貫通孔４７，４９が連続するように背面カバー１４と前面カバー１３とが嵌合され、筐体１２の外側から貫通孔４７，４９，４５を介してタップネジ４６が下穴４４に締め込まれることで、前面カバー１３及び背面カバー１４は互いに閉じられ、電池ボックス２５は筐体１２に固定されている。なお、詳しくは次段落で述べるように、導電板２７とタップネジ４６とは、互いに接触して電気的導通が取られている。これにより、タップネジ４６は、導電板２７を介して回路基板２６との電気的導通が取られ、帯電が防止されている。なお、タップネジ４６は、下穴４４をネジ切ることで締め込まれている。
【００３５】
図４（Ａ）に示すように、導電板２７に形成された貫通孔４５は、その周縁５１に３つの突起５２が形成された形状である。突起５２は、貫通孔４５の周方向に等間隔に配置され、その先端が丸まっている。これらの突起５２に内接する円は、タップネジ４６の外径ｄより小さく、且つタップネジ４６のネジ谷の径ｄ１より大きい径Ｄ１となっている（ｄ１＜Ｄ１＜ｄ）。また、図４（Ｂ）に示すように、導電板２７の厚さは、タップネジ４６のネジ山ピッチより小さい。貫通孔４５の形状及び寸法を上記のようにすることで、タップネジ４６の貫通孔４５への締込みにより、導電板２７は、突起５２の先端がネジ谷に入り込んでタップネジ４６と接触し、互いの電気的導通が取られている。また、導電板２７は、タップネジ４６の挿入方向に撓む突起５２がタップネジ４６と接触するので、締込みトルクが低減されている。
【００３６】
なお、上記第１実施形態のデジタルカメラ１１において、導電板２７の貫通孔４５に締め付けられたタップネジ４６は、貫通孔４５に形成された突起５２の先端と接触しているので、締込みの際に突起５２と引っ掛かる虞がある。タップネジ４６が締込みの際に突起と引っ掛かることを防止するため、第２実施形態のデジタルカメラには、導電板２７に替えて導電板５５（図５参照）が設けられている。
【００３７】
［第２実施形態］
以下、本発明の第２実施形態のデジタルカメラの導電板５５（図５参照）について、図面を参照しながら説明する。なお、図２及び図３を参考にする。電池ボックス２５の側方に設けられた導電板５５には、電池ボックス２５の背面側に屈曲する取付け部が形成され、その取付け部には、ネジ４２が挿入される貫通孔が形成されている。電池ボックス２５の背面と回路基板２６の前面との間に導電板５５の取付け部が挟み込まれ、貫通孔４３などを介してネジ４２をネジ穴４１に締め込まれることで、導電板５５は電池ボックス２５に固定されている。なお、回路基板２６と導電板５５とは、互いに接触して電気的導通が取られている。
【００３８】
電池ボックス２５に固定された導電板５５には、電池ボックス２５の下穴４４に連続する貫通孔５６が形成されている。筐体１２の外側から貫通孔４７，４９，５６を介してタップネジ４６が下穴４４に締め込まれることで、詳しくは次段落で述べるように、導電板５５とタップネジ４６とは、互いに接触して電気的導通が取られている。これにより、タップネジ４６は、導電板５５を介して回路基板２６との電気的導通が取られ、帯電が防止されている。
【００３９】
図５に示すように、導電板５５に形成された貫通孔５６は、その周縁５７に３つの突起５８が形成された形状である。突起５８は、貫通孔５６の周方向に等間隔に配置され、その先端がタップネジ４６の外周に沿った形状である。導電板５５は、突起５８の先端がネジ谷に入り込んでタップネジ４６と接触し、互いの電気的導通が取られている。突起５８の先端がタップネジ４６の外周に沿った形状であるので、タップネジ４６が締込みの際に突起５８と引っ掛かることが防止されている。なお、第１実施形態のデジタルカメラ１１（図１参照）と同じ構成については、同一の符号を付して詳しい説明を省略する。
【００４０】
なお、上記各実施形態のデジタルカメラにおいて、タップネジ４６の表面が絶縁性の被膜で覆われている場合には、タップネジ４６と導電板２７，５５との電気的導通が取られない虞がある。タップネジ４６と導電板との電気的導通を確実なものとするため、第３実施形態のデジタルカメラには、導電板２７，５５に替えて導電板６０（図６参照）が設けられている。
【００４１】
［第３実施形態］
以下、本発明の第３実施形態のデジタルカメラの導電板６０（図６参照）について、図面を参照しながら説明する。なお、図２及び図３を参考にする。電池ボックス２５の側方に設けられた導電板６０には、電池ボックス２５の背面側に屈曲する取付け部が形成され、その取付け部には、ネジ４２が挿入される貫通孔が形成されている。電池ボックス２５の背面と回路基板２６の前面との間に導電板６０の取付け部が挟み込まれ、貫通孔４３などを介してネジ４２をネジ穴４１に締め込まれることで、導電板６０は電池ボックス２５に固定されている。なお、回路基板２６と導電板６０とは、互いに接触して電気的導通が取られている。
【００４２】
電池ボックス２５に固定された導電板６０には、電池ボックス２５の下穴４４に連続する貫通孔６１が形成されている。筐体１２の外側から貫通孔４７，４９，６１を介してタップネジ４６が下穴４４に締め込まれることで、詳しくは次段落で述べるように、導電板６０とタップネジ４６とは、互いに接触して電気的導通が取られている。これにより、タップネジ４６は、導電板６０を介して回路基板２６との電気的導通が取られ、帯電が防止されている。
【００４３】
図６に示すように、導電板６０に形成された貫通孔６１は、その周縁６２に３つの突起６３が形成された形状である。突起６３は、貫通孔６１の周方向に等間隔に配置され、その先端が尖っている。導電板６０は、突起６３の先端がネジ谷に入り込んでタップネジ４６と接触し、互いの電気的導通が取られている。タップネジ４６の表面が絶縁性の被膜で覆われている場合には、突起６３の先端がその被膜を削ることにより、タップネジ４６と導電板６０との電気的導通が確実なものとなっている。なお、第１実施形態のデジタルカメラ１１（図１参照）と同じ構成については、同一の符号を付して詳しい説明を省略する。
【００４４】
なお、上記各実施形態のデジタルカメラにおいて、導電板２７，５５，６０の貫通孔４５，５６，６１に締め付けられたタップネジ４６は、貫通孔４５，５６，６１に形成された突起５２，５８，６３の先端と接触しており、突起５２，５８，６３が締付けの際に負荷になる虞がある。突起が締付けの負荷とならないよう、第４実施形態のデジタルカメラには、導電板２７，５５，６０に替えて導電板６５（図７参照）が設けられている。
【００４５】
［第４実施形態］
以下、本発明の第４実施形態のデジタルカメラの導電板６５（図７参照）について、図面を参照しながら説明する。なお、図２及び図３を参考にする。電池ボックス２５の側方に設けられた導電板６５には、電池ボックス２５の背面側に屈曲する取付け部が形成され、その取付け部には、ネジ４２が挿入される貫通孔が形成されている。電池ボックス２５の背面と回路基板２６の前面との間に導電板６５の取付け部が挟み込まれ、貫通孔４３などを介してネジ４２をネジ穴４１に締め込まれることで、導電板６５は電池ボックス２５に固定されている。なお、回路基板２６と導電板６５とは、互いに接触して電気的導通が取られている。
【００４６】
電池ボックス２５に固定された導電板６５には、電池ボックス２５の下穴４４に連続する貫通孔６６が形成されている。筐体１２の外側から貫通孔４７，４９，６６を介してタップネジ４６が下穴４４に締め込まれることで、詳しくは次段落で述べるように、導電板６５とタップネジ４６とは、互いに接触して電気的導通が取られている。これにより、タップネジ４６は、導電板６５を介して回路基板２６との電気的導通が取られ、帯電が防止されている。
【００４７】
図７に示すように、導電板６５に形成された貫通孔６６は、その周縁６７に３つの突起６８が形成された形状である。突起６８は、貫通孔６６の周方向に等間隔に配置され、タップネジ４６を締める方向に直線的に延びている。導電板６５は、突起６８の側辺がネジ谷に入り込んでタップネジ４６と接触し、互いの電気的導通が取られている。突起６８は、その側辺がタップネジ４６と接触し、タップネジ４６から退避する方向に撓むので、締込み時のトルクは低減されている。なお、第１実施形態のデジタルカメラ１１（図１参照）と同じ構成については、同一の符号を付して詳しい説明を省略する。
【００４８】
なお、上記第４実施形態のデジタルカメラにおいて、導電板６５の貫通孔６６に形成された突起６８の側辺にタップネジ４６が接触するように、突起６８は、タップネジ４６を締める方向に直線的に延びている。但し、この形状に限定されず、以下に示す第５〜７実施形態のデジタルカメラであっても良い。第５実施形態のデジタルカメラには、導電板６５に替えて導電板７０（図８参照）が設けられている。
【００４９】
［第５実施形態］
以下、本発明の第５実施形態のデジタルカメラの導電板７０（図８参照）について、図面を参照しながら説明する。なお、図２及び図３を参考にする。電池ボックス２５の側方に設けられた導電板７０には、電池ボックス２５の背面側に屈曲する取付け部が形成され、その取付け部には、ネジ４２が挿入される貫通孔が形成されている。電池ボックス２５の背面と回路基板２６の前面との間に導電板７０の取付け部が挟み込まれ、貫通孔４３などを介してネジ４２をネジ穴４１に締め込まれることで、導電板７０は電池ボックス２５に固定されている。なお、回路基板２６と導電板７０とは、互いに接触して電気的導通が取られている。
【００５０】
電池ボックス２５に固定された導電板７０には、電池ボックス２５の下穴４４に連続する貫通孔７１が形成されている。筐体１２の外側から貫通孔４７，４９，７１を介してタップネジ４６が下穴４４に締め込まれることで、詳しくは次段落で述べるように、導電板７０とタップネジ４６とは、互いに接触して電気的導通が取られている。これにより、タップネジ４６は、導電板７０を介して回路基板２６との電気的導通が取られ、帯電が防止されている。
【００５１】
図８に示すように、導電板７０に形成された貫通孔７１は、その周縁７２に３つの突起７３が形成された形状である。突起７３は、貫通孔７１の周方向に等間隔に配置され、タップネジ４６を締める方向に屈曲している。導電板７０は、突起７３の側辺がネジ谷に入り込んでタップネジ４６と接触し、互いの電気的導通が取られている。突起６８は、その側辺がタップネジ４６と接触し、タップネジ４６から退避する方向に撓むので、締込み時のトルクは低減されている。なお、第１実施形態のデジタルカメラ１１（図１参照）と同じ構成については、同一の符号を付して詳しい説明を省略する。次に示す第６実施形態のデジタルカメラには、導電板６５（図７参照），７０に替えて導電板７５（図９参照）が設けられている。
【００５２】
［第６実施形態］
以下、本発明の第６実施形態のデジタルカメラの導電板７５（図９参照）について、図面を参照しながら説明する。なお、図２及び図３を参考にする。電池ボックス２５の側方に設けられた導電板７５には、電池ボックス２５の背面側に屈曲する取付け部が形成され、その取付け部には、ネジ４２が挿入される貫通孔が形成されている。電池ボックス２５の背面と回路基板２６の前面との間に導電板７５の取付け部が挟み込まれ、貫通孔４３などを介してネジ４２をネジ穴４１に締め込まれることで、導電板７５は電池ボックス２５に固定されている。なお、回路基板２６と導電板７５とは、互いに接触して電気的導通が取られている。
【００５３】
電池ボックス２５に固定された導電板７５には、電池ボックス２５の下穴４４に連続する貫通孔７６が形成されている。筐体１２の外側から貫通孔４７，４９，７１を介してタップネジ４６が下穴４４に締め込まれることで、詳しくは次段落で述べるように、導電板７５とタップネジ４６とは、互いに接触して電気的導通が取られている。これにより、タップネジ４６は、導電板７５を介して回路基板２６との電気的導通が取られ、帯電が防止されている。
【００５４】
図９に示すように、導電板７５に形成された貫通孔７６は、その周縁７７に３つの突起７８が形成された形状である。突起７８は、貫通孔７６の周方向に等間隔に配置され、タップネジ４６を締める方向に湾曲している。導電板７５は、突起７８の側辺がネジ谷に入り込んでタップネジ４６と接触し、互いの電気的導通が取られている。突起７８は、その側辺がタップネジ４６と接触し、タップネジ４６から退避する方向に撓むので、締込み時のトルクは低減されている。なお、第１実施形態のデジタルカメラ１１（図１参照）と同じ構成については、同一の符号を付して詳しい説明を省略する。次に示す第７実施形態のデジタルカメラには、導電板６５（図７参照），７０（図８参照），７５に替えて導電板８０（図１０参照）が設けられている。
【００５５】
［第７実施形態］
以下、本発明の第７実施形態のデジタルカメラの導電板８０（図１０参照）について、図面を参照しながら説明する。なお、図２及び図３を参照にする。電池ボックス２５の側方に設けられた導電板８０には、電池ボックス２５の背面側に屈曲する取付け部が形成され、その取付け部には、ネジ４２が挿入される貫通孔が形成されている。電池ボックス２５の背面と回路基板２６の前面との間に導電板８０の取付け部が挟み込まれ、貫通孔４３などを介してネジ４２をネジ穴４１に締め込まれることで、導電板８０は電池ボックス２５に固定されている。なお、回路基板２６と導電板８０とは、互いに接触して電気的導通が取られている。
【００５６】
電池ボックス２５に固定された導電板８０には、電池ボックス２５の下穴４４に連続する貫通孔８１が形成されている。筐体１２の外側から貫通孔４７，４９，８１を介してタップネジ４６が下穴４４に締め込まれることで、詳しくは次段落で述べるように、導電板８０とタップネジ４６とは、互いに接触して電気的導通が取られている。これにより、タップネジ４６は、導電板８０を介して回路基板２６との電気的導通が取られ、帯電が防止されている。
【００５７】
図１０に示すように、導電板８０に形成された貫通孔８１は、その周縁８２に３つの突起８３が形成された形状である。突起８３は、貫通孔８１の周方向に等間隔に配置され、タップネジ４６を緩める方向に一旦屈曲し、さらに折り返してタップネジ４６を締める方向に屈曲している。導電板８０は、突起８３の側辺がネジ谷に入り込んでタップネジ４６と接触し、互いの電気的導通が取られている。突起８３は、その側辺がタップネジ４６と接触し、タップネジ４６から退避する方向に撓むので、締込み時のトルクは低減されている。なお、第１実施形態のデジタルカメラ１１（図１参照）と同じ構成については、同一の符号を付して詳しい説明を省略する。
【００５８】
なお、上記各実施形態において、導電板に形成された貫通孔は、その周縁に３つの突起が形成された形状である場合を例に説明したが、突起の個数は３つに限定されず、１つや２つであっても、或いは４つ以上であっても良い。
【００５９】
また、上記各実施形態において、導電板の貫通孔に形成された突起は、貫通孔の周方向に等間隔に配置されている場合を例に説明したが、以下に示す第８及び第９実施形態のデジタルカメラの導電板８５，９０（図１１（Ａ）及び図１１（Ｂ）参照）のように、異なる間隔に配置されていても良い。
【００６０】
［第８実施形態］
以下、本発明の第８実施形態のデジタルカメラの導電板８５（図１１（Ａ）参照）について、図面を参照しながら説明する。なお、図２及び図３を参考にする。電池ボックス２５の側方に設けられた導電板８５には、電池ボックス２５の背面側に屈曲する取付け部が形成され、その取付け部には、ネジ４２が挿入される貫通孔が形成されている。電池ボックス２５の背面と回路基板２６の前面との間に導電板８５の取付け部が挟み込まれ、貫通孔４３などを介してネジ４２をネジ穴４１に締め込まれることで、導電板８５は電池ボックス２５に固定されている。なお、回路基板２６と導電板８５とは、互いに接触して電気的導通が取られている。
【００６１】
電池ボックス２５に固定された導電板８５には、電池ボックス２５の下穴４４に連続する貫通孔８６が形成されている。筐体１２の外側から貫通孔４７，４９，８６を介してタップネジ４６が下穴４４に締め込まれることで、詳しくは次段落で述べるように、導電板８５とタップネジ４６とは、互いに接触して電気的導通が取られている。これにより、タップネジ４６は、導電板８５を介して回路基板２６との電気的導通が取られ、帯電が防止されている。
【００６２】
図１１（Ａ）に示すように、導電板８５に形成された貫通孔８６は、その周縁８７に３つの突起８８が形成された形状である。突起８８は、貫通孔８６の周方向に異なる間隔で配置され、その先端が丸まっている。配置間隔を、例えば、９０°，９０°，１８０°とすることで、広い間隔の箇所からネジ山が誘われ、締込み開始が容易となる。導電板８５は、突起８８の先端がネジ谷に入り込んでタップネジ４６と接触し、互いの電気的導通が取られている。なお、第１実施形態のデジタルカメラ１１（図１参照）と同じ構成については、同一の符号を付して詳しい説明を省略する。
【００６３】
［第９実施形態］
以下、本発明の第９実施形態のデジタルカメラの導電板９０（図１１（Ｂ）参照）について、図面を参照しながら説明する。なお、図２及び図３を参考にする。電池ボックス２５の側方に設けられた導電板９０には、電池ボックス２５の背面側に屈曲する取付け部が形成され、その取付け部には、ネジ４２が挿入される貫通孔が形成されている。電池ボックス２５の背面と回路基板２６の前面との間に導電板９０の取付け部が挟み込まれ、貫通孔４３などを介してネジ４２をネジ穴４１に締め込まれることで、導電板９０は電池ボックス２５に固定されている。なお、回路基板２６と導電板９０とは、互いに接触して電気的導通が取られている。
【００６４】
電池ボックス２５に固定された導電板９０には、電池ボックス２５の下穴４４に連続する貫通孔９１が形成されている。筐体１２の外側から貫通孔４７，４９，９１を介してタップネジ４６が下穴４４に締め込まれることで、詳しくは次段落で述べるように、導電板９０とタップネジ４６とは、互いに接触して電気的導通が取られている。これにより、タップネジ４６は、導電板９０を介して回路基板２６との電気的導通が取られ、帯電が防止されている。
【００６５】
図１１（Ｂ）に示すように、導電板９０に形成された貫通孔９１は、その周縁９２に２つの突起９３が形成された形状である。突起９３は、貫通孔９１の周方向に異なる間隔で配置され、その先端が丸まっている。配置間隔を、例えば、１２０°，２４０°とすることで、広い間隔の箇所からネジ山が誘われ、締込み開始が容易となる。導電板９０は、突起９３の先端がネジ谷に入り込んでタップネジ４６と接触し、互いの電気的導通が取られている。なお、第１実施形態のデジタルカメラ１１（図１参照）と同じ構成については、同一の符号を付して詳しい説明を省略する。
【００６６】
なお、第８及び第９実施形態のデジタルカメラの導電板８５，９０において、貫通孔に形成された突起８８，９３の先端が丸まっている場合を例に説明したが、これに限定されるのではなく、例えば、突起の先端がタップネジ４６の外周方向に沿った形状であったり、尖った形状であったりしても良い。また、タップネジ４６とは、突起８８，９３の先端が接触する場合を例に説明したが、これに限定されるのではなく、突起の側辺が接触するのであっても良い。この場合、突起は、例えば、タップネジ４６を締める方向に直線的に延びていたり、タップネジ４６を締める方向に屈曲、或いは湾曲していたりしても良い。
【００６７】
また、上記各実施形態において、導電板の貫通孔に形成された突起は、導電板の面内方向に形成されている場合を例に説明したが、以下に示す第１０実施形態のデジタルカメラの導電板９５（図１２（Ａ）、図１２（Ｂ）、及び図１２（Ｃ）参照）のように、面外方向へ曲げられていても良い。
【００６８】
［第１０実施形態］
以下、本発明の第１０実施形態のデジタルカメラの導電板９５（図１２（Ａ）、図１２（Ｂ）、及び図１２（Ｃ）参照）について、図面を参照しながら説明する。なお、図２及び図３を参考にする。電池ボックス２５の側方に設けられた導電板９５には、電池ボックス２５の背面側に屈曲する取付け部が形成され、その取付け部には、ネジ４２が挿入される貫通孔が形成されている。電池ボックス２５の背面と回路基板２６の前面との間に導電板９５の取付け部が挟み込まれ、貫通孔４３などを介してネジ４２をネジ穴４１に締め込まれることで、導電板９５は電池ボックス２５に固定されている。なお、回路基板２６と導電板９５とは、互いに接触して電気的導通が取られている。
【００６９】
電池ボックス２５に固定された導電板９５には、電池ボックス２５の下穴４４に連続する貫通孔９６が形成されている。筐体１２の外側から貫通孔４７，４９，９６を介してタップネジ４６が下穴４４に締め込まれることで、詳しくは次段落で述べるように、導電板９５とタップネジ４６とは、互いに接触して電気的導通が取られている。これにより、タップネジ４６は、導電板９５を介して回路基板２６との電気的導通が取られ、帯電が防止されている。
【００７０】
図１２（Ａ）に示すように、導電板９５に形成された貫通孔９６は、その周縁９７に３つの突起９８が形成された形状である。突起９８は、貫通孔９６の周方向に等間隔に配置され、その先端が丸まっている。また、図１２（Ｂ）に示すように、突起９８は、タップネジ４６を挿入する方向に、その付け根から曲げられている。その曲げ角度は突起９８毎に異なり、図１２（Ｃ）に示すように、突起９８は、挿入されたタップネジ４６のネジ山に沿うように曲げられている。導電板９５は、突起９８の先端がネジ谷に入り込んでタップネジ４６と接触し、互いの電気的導通が取られている。タップネジ４６の挿入方向に突起９８が曲げられているので、タップネジ４６の挿入の際にネジ山が誘われ、締込み開始が容易となる。導電板９５は、突起９８の先端がネジ谷に入り込んでタップネジ４６と接触し、互いの電気的導通が取られている。なお、第１実施形態のデジタルカメラ１１（図１参照）と同じ構成については、同一の符号を付して詳しい説明を省略する。
【００７１】
なお、第１０実施形態のデジタルカメラの導電板９５において、貫通孔に形成された突起９８の先端が丸まっている場合を例に説明したが、これに限定されるのではなく、例えば、突起の先端がタップネジ４６の外周方向に沿った形状であったり、尖った形状であったりしても良い。また、タップネジ４６とは、突起９８の先端が接触する場合を例に説明したが、これに限定されるのではなく、突起の側辺が接触する形状にすることで、タップネジの誘い込み効果は増す。この場合、突起は、例えば、タップネジ４６を締める方向に直線的に延びていたり、タップネジ４６を締める方向に屈曲、或いは湾曲していたりしても良い。
【００７２】
なお、上記各実施形態において、導電板の貫通孔には突起が形成され、その突起とタップネジ４６とが接触して互いの電気的導通が取られている場合を例に説明したが、以下に示す第１１実施形態のデジタルカメラの導電板１００（図１３参照）のように、突起の替わりに貫通孔１０１の周縁１０２にスリット１０３が切欠き形成されていても良い。
【００７３】
［第１１実施形態］
以下、本発明の第１１実施形態のデジタルカメラの導電板１００（図１３参照）について、図面を参照しながら説明する。なお、図２及び図３を参考にする。電池ボックス２５の側方に設けられた導電板１００には、電池ボックス２５の背面側に屈曲する取付け部が形成され、その取付け部には、ネジ４２が挿入される貫通孔が形成されている。電池ボックス２５の背面と回路基板２６の前面との間に導電板１００の取付け部が挟み込まれ、貫通孔４３などを介してネジ４２をネジ穴４１に締め込まれることで、導電板１００は電池ボックス２５に固定されている。なお、回路基板２６と導電板１００とは、互いに接触して電気的導通が取られている。
【００７４】
電池ボックス２５に固定された導電板１００には、電池ボックス２５の下穴４４に連続する貫通孔１０１が形成されている。筐体１２の外側から貫通孔４７，４９，１０１を介してタップネジ４６が下穴４４に締め込まれることで、詳しくは次段落で述べるように、導電板１００とタップネジ４６とは、互いに接触して電気的導通が取られている。これにより、タップネジ４６は、導電板１００を介して回路基板２６との電気的導通が取られ、帯電が防止されている。
【００７５】
図１３に示すように、導電板１００に形成された貫通孔１０１は、その周縁１０２に例えば４つのスリット１０３が切欠き形成された形状である。導電板１００は、貫通孔１０１の周縁１０２がネジ谷に入り込んでタップネジ４６と接触し、互いの電気的導通が取られている。スリット１０３により分断された４つの周縁１０２が、上記各実施形態における突起と同様、タップネジ４６の挿入方向に撓むので、締込みトルクが低減されている。なお、本実施形態のデジタルカメラの導電板１００は、上記各実施形態のデジタルカメラの導電板と比較して、寸法管理が容易であり、製造コストを低減することができる。なお、第１実施形態のデジタルカメラ１１（図１参照）と同じ構成については、同一の符号を付して詳しい説明を省略する。
【００７６】
なお、上記各実施形態において、導電板に貫通孔が形成され、その貫通孔にタップネジ４６が挿入される場合を例に説明したが、以下に示す第１２実施形態のデジタルカメラの導電板１０５（図１４（Ａ）及び図１４（Ｂ）参照）のように、タップネジ４６と接触して互いの電気的導通が取られていれば良く、貫通孔が形成されていなくても良い。
【００７７】
［第１２実施形態］
以下、本発明の第１２実施形態のデジタルカメラの導電板１０５（図１４（Ａ）及び図１４（Ｂ）参照）について、図面を参照しながら説明する。なお、図２及び図３を参考にする。電池ボックス２５の側方に設けられた導電板１０５には、電池ボックス２５の背面側に屈曲する取付け部が形成され、その取付け部には、ネジ４２が挿入される貫通孔が形成されている。電池ボックス２５の背面と回路基板２６の前面との間に導電板１０５の取付け部が挟み込まれ、貫通孔４３などを介してネジ４２をネジ穴４１に締め込まれることで、導電板１０５は電池ボックス２５に固定されている。なお、回路基板２６と導電板１０５とは、互いに接触して電気的導通が取られている。
【００７８】
図１４（Ａ）及び図１４（Ｂ）に示すように、電池ボックス２５に固定された導電板１０５には、電池ボックス２５の下穴４４に締め込まれるタップネジ４６のネジ谷に入り込む突起１０６が形成されている。導電板１０５は、突起１０６がネジ谷に入り込むことでタップネジ４６と接触し、互いの電気的導通が取られている。なお、第１実施形態のデジタルカメラ１１（図１参照）と同じ構成については、同一の符号を付して詳しい説明を省略する。
【００７９】
なお、上記各実施形態における導電板は、タップネジ４６とグランド部との電気的導通を取り、タップネジ４６の帯電を防止する機能のみを有している場合を例に説明したが、これに限定されるのではなく、別の機能を併せ持っていても良い。別の機能としては、例えば、ボタン１８，１９などのバネ付勢などが挙げられる。
【００８０】
また、上記各実施形態において、タップネジ４６と接触する導電板が設けられた場合を例に説明したが、タップネジ４６とグランド部との電気的導通が取れれば良く、タップネジ４６と接触する導電性の配線が導電板の替わりに設けられていても良い。
【００８１】
また、上記各実施形態において、デジタルカメラの場合を例に説明したが、上記タップネジの導電構造は、例えば、携帯電話機、携帯情報端末（ＰＤＡ）、パーソナルコンピュータなどあらゆる電子機器に適用することができる。
【図面の簡単な説明】
【００８２】
【図１】デジタルカメラの外観斜視図である。
【図２】デジタルカメラの分解斜視図である。
【図３】タップネジの導電構造を示すデジタルカメラ断面図である。
【図４】第１実施形態の導電板の正面図及び断面図である。
【図５】第２実施形態の導電板の正面図である。
【図６】第３実施形態の導電板の正面図である。
【図７】第４実施形態の導電板の正面図である。
【図８】第５実施形態の導電板の正面図である。
【図９】第６実施形態の導電板の正面図である。
【図１０】第７実施形態の導電板の正面図である。
【図１１】第８及び第９実施形態の導電板の正面図である。
【図１２】第１０実施形態の導電板の正面図及び断面図である。
【図１３】第１１実施形態の導電板の正面図である。
【図１４】第１２実施形態の導電板の正面図及び断面図である。
【符号の説明】
【００８３】
１１  デジタルカメラ
１２  筐体
１３  前面カバー
１４  背面カバー
１５  ズームレンズ
１６  レンズ鏡筒
１７  透明カバー
１８  電源ボタン
１９  シャッタボタン
２０  入出力用端子
２１  鏡筒収納部
２５  電池ボックス
２６  回路基板
２７，５５，６０，６５，７０，７５，８０，８５，９０，９５，１００，１０５  導電板
２８  取付け部
２９  貫通孔
４１  ネジ穴
４２  ネジ
４３  貫通孔
４４  下穴
４５，５６，６１，６６，７１，７６，８１，８６，９１，９６，１０１  貫通孔
４６  タップネジ
４７  貫通孔
４８  取付け部
４９  貫通孔
５１，５７，６２，６７，７２，７７，８２，８７，９２，９７，１０２，１０６  周縁
５２，５８，６３，６８，７３，７８，８３，８８，９３，９８  突起
１０３  スリット
【図１】
2008191433.tif 000003
【図２】
2008191433.tif 000004
【図３】
2008191433.tif 000005
【図４】
2008191433.tif 000006
【図５】
2008191433.tif 000007
【図６】
2008191433.tif 000008
【図７】
2008191433.tif 000009
【図８】
2008191433.tif 000010
【図９】
2008191433.tif 000011
【図１０】
2008191433.tif 000012
【図１１】
2008191433.tif 000013
【図１２】
2008191433.tif 000014
【図１３】
2008191433.tif 000015
【図１４】
2008191433.tif 000016